(57)【特許請求の範囲】
【請求項１】
ベゼルの表面に開口部が形成され、空気吹き出し口が設けられたバレルが前記ベゼルの開口部に回転可能に枢支され、前記バレルの内側に複数のフィンが配置され、前記複数のフィンの各々が回転可能に枢支され、さらに相互に連動して回転可能になるように連結部材により連結され、
前記複数のフィンの１つにノブが設けられ、前記ノブにより前記複数のフィンを回転させて前記空気吹き出し口を開閉する空調吹き出し装置において、
前記連結部材に摺動部が設けられ、
前記ベゼルの裏側部分にガイド部が設けられ、
前記バレルの空気吹き出し口が前記ベゼルの表面に対して傾斜し、前記バレルの空気吹き出し口が前記複数のフィンにより閉じられていない状態で、前記ノブにより前記空気吹き出し口を閉めるように前記複数のフィンを回転させる場合に、前記摺動部が前記ガイド部に沿って摺動することにより、前記バレルの空気吹き出し口の前記ベゼルの表面に対する傾斜がなくなるように前記バレルを回転させることを特徴とする空調吹き出し装置。
【請求項２】
ベゼルの表面に開口部が形成され、空気吹き出し口が設けられたバレルが前記ベゼルの開口部に回転可能に枢支され、前記バレルの内側に複数のフィンが配置され、前記複数のフィンの各々が回転可能に枢支され、さらに相互に連動して回転可能になるように連結部材により連結され、
前記複数のフィンの１つにノブが設けられ、前記ノブにより前記複数のフィンを回転させて前記空気吹き出し口を開閉する空調吹き出し装置において、
前記複数のフィンのうち少なくとも２つのフィンを回転自在に連結する摺動部材が配設され、
前記ベゼルの裏側部分にガイド部が設けられ、
前記バレルの空気吹き出し口が前記ベゼルの表面に対して傾斜し、前記バレルの空気吹き出し口が前記複数のフィンにより閉じられていない状態で、前記ノブにより前記空気吹き出し口を閉めるように前記複数のフィンを回転させる場合に、前記摺動部材が前記ガイド部に沿って摺動することにより、前記バレルの空気吹き出し口の前記ベゼルの表面に対する傾斜がなくなるように前記バレルを回転させることを特徴とする空調吹き出し装置。
【請求項３】
請求項１記載の空調吹き出し装置であって、
前記連結部材の摺動部の位置は前記バレルの空気吹き出し口が前記複数のフィンにより閉じられている場合には、前記バレルの空気吹き出し口が前記複数のフィンにより閉じられていない場合よりも、前記バレルの空気吹き出し口側に移動し、
前記ガイド部に傾斜が設けられ、前記ガイド部の傾斜は前記バレルの回転方向に沿って形成され、かつ、前記ガイド部の中央部が窪むように形成されていることを特徴とする空調吹き出し装置。
【請求項４】
請求項２記載の空調吹き出し装置であって、
前記摺動部材の位置は前記バレルの空気吹き出し口が前記複数のフィンにより閉じられている場合には、前記バレルの空気吹き出し口が前記複数のフィンにより閉じられていない場合よりも、前記バレルの空気吹き出し口側に移動し、
前記ガイド部に傾斜が設けられ、前記ガイド部の傾斜は前記バレルの回転方向に沿って形成され、かつ、前記ガイド部の中央部が窪むように形成されていることを特徴とする空調吹き出し装置。
【発明の詳細な説明】
【技術分野】
【０００１】
本発明は、車両等に用いられる空調吹き出し装置に関するものであり、特に、吹き出し口をフィンで閉めたときに、べゼルの表面とバレルの空気吹き出し口との傾斜をなくすことができる技術に関するものである。
【背景技術】
【０００２】
従来、車両に空調吹き出し装置が使用されている。この空調吹き出し装置としてバレルタイプフィンシャットアウトレジスタがある（例えば特許文献１参照）。図８に示すように、このタイプの空調吹き出し装置６０はベゼル７０とバレル８０を備え、空気吹き出し口８１が設けられたバレル８０がべゼル７０の表面７１の開口部７２の内側に回転可能に枢支されている。そして、バレル８０の内側に複数のフィン９０の各々が枢支され、複数のフィン９０が相互に連動して回転可能になるように連結部材９１により連結され、複数のフィン９０の１つに操作用のノブ９２が設けられている。
このため、ノブ９２により複数のフィン９０を回転させて空気吹き出し口８１を開閉することができ、さらに、バレル８０を回転させて、空気吹き出し口８１から吹き出る気流の方向（矢印９３で示す。）を調節することができる。
【特許文献１】特開２００７−１１８８８４号公報
【発明の開示】
【発明が解決しようとする課題】
【０００３】
しかし、上述の従来例では、図９に示すように、バレル８０の空気吹き出し口８１をフィン９０で閉じたときでも、空気吹き出し口８１とベゼル７０の表面７１とが傾斜し、バレル８０の空気吹き出し口８１とべゼル７０の表面７１とが面一にならない。
この場合には、バレル８０の空気吹き出し口８１をフィン９０で閉じたときの見栄えが悪化し、空調吹き出し装置６０から吹き出る気流を止める性能が低下し、べゼル７０とバレル８０との隙間から吹き出る気流により笛吹き現象が発生するという問題があった。
そこで、本発明が解決しようとする課題は、上述の問題点を解決し、バレルの空気吹き出し口をフィンで閉じたときに、べゼルの表面とバレルの空気吹き出し口との傾斜をなくすことができる空調吹き出し装置を提供することである。
【課題を解決するための手段】
【０００４】
上記課題を解決するため、請求項１記載の発明は、ベゼルの表面に開口部が形成され、空気吹き出し口が設けられたバレルが前記ベゼルの開口部に回転可能に枢支され、前記バレルの内側に複数のフィンが配置され、前記複数のフィンの各々が回転可能に枢支され、さらに相互に連動して回転可能になるように連結部材により連結され、前記複数のフィンの１つにノブが設けられ、前記ノブにより前記複数のフィンを回転させて前記空気吹き出し口を開閉する空調吹き出し装置において、前記連結部材に摺動部が設けられ、前記ベゼルの裏側部分にガイド部が設けられ、前記バレルの空気吹き出し口が前記ベゼルの表面に対して傾斜し、前記バレルの空気吹き出し口が前記複数のフィンにより閉じられていない状態で、前記ノブにより前記空気吹き出し口を閉めるように前記複数のフィンを回転させる場合に、前記摺動部が前記ガイド部に沿って摺動することにより、前記バレルの空気吹き出し口の前記ベゼルの表面に対する傾斜がなくなるように前記バレルを回転させることを特徴とする空調吹き出し装置である。
【０００５】
請求項１記載の発明により、前記空調吹き出し装置において、前記バレルの空気吹き出し口が前記ベゼルの表面に対して傾斜した状態で、前記ノブにより前記空気吹き出し口を閉める方向に前記複数のフィンを回転させる場合に、前記連結部材の摺動部が前記べゼルの裏側部分に設けられたガイド部に沿って摺動することにより、前記バレルの空気吹き出し口の前記ベゼルの表面に対する傾斜がなくなるように前記バレルを回転させるので、前記バレルの空気吹き出し口と前記ベゼルの表面とを面一にすることができる。
【０００６】
さらに、請求項２記載の発明は、ベゼルの表面に開口部が形成され、空気吹き出し口が設けられたバレルが前記ベゼルの開口部に回転可能に枢支され、前記バレルの内側に複数のフィンが配置され、前記複数のフィンの各々が回転可能に枢支され、さらに相互に連動して回転可能になるように連結部材により連結され、前記複数のフィンの１つにノブが設けられ、前記ノブにより前記複数のフィンを回転させて前記空気吹き出し口を開閉する空調吹き出し装置において、前記複数のフィンのうち少なくとも２つのフィンを回転自在に連結する摺動部材が配設され、前記ベゼルの裏側部分にガイド部が設けられ、前記バレルの空気吹き出し口が前記ベゼルの表面に対して傾斜し、前記バレルの空気吹き出し口が前記複数のフィンにより閉じられていない状態で、前記ノブにより前記空気吹き出し口を閉めるように前記複数のフィンを回転させる場合に、前記摺動部材が前記ガイド部に沿って摺動することにより、前記バレルの空気吹き出し口の前記ベゼルの表面に対する傾斜がなくなるように前記バレルを回転させることを特徴とする空調吹き出し装置である。
【０００７】
請求項２記載の発明により、前記空調吹き出し装置において、前記バレルの空気吹き出し口が前記ベゼルの表面に対して傾斜した状態で、前記ノブにより前記空気吹き出し口を閉める方向に前記複数のフィンを回転させる場合に、前記複数のフィンのうち少なくとも２つのフィンを回転自在に連結する摺動部材が前記ベゼルに設けられたガイド部に沿って摺動することにより、前記バレルの空気吹き出し口の前記ベゼルの表面に対する傾斜がなくなるように前記バレルを回転させるので、前記バレルの空気吹き出し口と前記ベゼルの表面とを面一にすることができる。
【０００８】
さらに、請求項３記載の発明は、請求項１記載の空調吹き出し装置であって、前記連結部材の摺動部の位置は前記バレルの空気吹き出し口が前記複数のフィンにより閉じられている場合には、前記バレルの空気吹き出し口が前記複数のフィンにより閉じられていない場合よりも、前記バレルの空気吹き出し口側に移動し、前記ガイド部に傾斜が設けられ、前記ガイド部の傾斜は前記バレルの回転方向に沿って形成され、かつ、前記ガイド部の中央部が窪むように形成されていることを特徴とする空調吹き出し装置である。
【０００９】
請求項３記載の発明によれば、前記連結部材の摺動部の位置は、前記バレルの空気吹き出し口が前記複数のフィンにより閉じられている場合には、前記バレルの空気吹き出し口が前記複数のフィンにより閉じられていない場合よりも、前記バレルの空気吹き出し口側に移動し、さらに、前記ガイド部に傾斜が設けられ、前記ガイド部の傾斜は前記バレルの回転方向に沿って形成され、かつ、前記ガイド部の中央部が窪むように形成されているので、連結部材の摺動部がガイド部に沿って摺動することにより、バレルの空気吹き出し口のベゼルの表面に対する傾斜がなくなるようにバレルを回転させることができる。
【００１０】
さらに、請求項４記載の発明は、請求項２記載の空調吹き出し装置であって、前記摺動部材の位置は前記バレルの空気吹き出し口が前記複数のフィンにより閉じられている場合には、前記バレルの空気吹き出し口が前記複数のフィンにより閉じられていない場合よりも、前記バレルの空気吹き出し口側に移動し、前記ガイド部に傾斜が設けられ、前記ガイド部の傾斜は前記バレルの回転方向に沿って形成され、かつ、前記ガイド部の中央部が窪むように形成されていることを特徴とする空調吹き出し装置である。
【００１１】
請求項４記載の発明により、前記摺動部材の位置は、前記バレルの空気吹き出し口が前記複数のフィンにより閉じられている場合には、前記バレルの空気吹き出し口が前記複数のフィンにより閉じられていない場合よりも、前記バレルの空気吹き出し口側に移動し、前記ガイド部に傾斜が設けられ、さらに、前記ガイド部の傾斜は前記バレルの回転方向に沿って形成され、かつ、前記ガイド部の中央部が窪むように形成されているので、摺動部材がガイド部に沿って摺動することにより、バレルの空気吹き出し口のベゼルの表面に対する傾斜がなくなるようにバレルを回転させることができる。
【発明の効果】
【００１２】
請求項１記載の発明によれば、バレルの空気吹き出し口をフィンで閉じたときに、前記バレルの空気吹き出し口の前記ベゼルの開口部に対する傾斜がなくなるように前記バレルを回転させ、空調吹き出し装置の見栄えをよくし、前記バレルが前記べゼルの開口部をほぼ塞ぐようにすることができ、さらに、べゼルの開口部とバレルとの隙間から吹き出る気流を殆ど止めて笛吹き現象が発生しないようにすることができる。
さらに、請求項２記載の発明によっても、バレルの空気吹き出し口をフィンで閉じたときに、前記バレルの空気吹き出し口の前記ベゼルの開口部に対する傾斜がなくなるように前記バレルを回転させ、空調吹き出し装置の見栄えをよくし、前記バレルが前記べゼルの開口部をほぼ塞ぐようにすることができ、さらに、べゼルの開口部とバレルとの隙間から吹き出る気流を殆ど止めて笛吹き現象が発生しないようにすることができる。
さらに、請求項３記載の発明によれば、請求項１記載の発明の効果とともに、請求項１記載の発明を容易に構成することができる。
さらに、請求項４記載の発明によれば、請求項２記載の発明の効果とともに、請求項２記載の発明を容易に構成することができる。
【発明を実施するための最良の形態】
【００１３】
以下、本発明における実施の形態を図面に基づいて説明する。図１は本発明の実施の形態に係る空調吹き出し装置のフィンを開いた状態を前方から斜めに見た場合を示し、図２は図１の空調吹き出し装置のフィンを閉じた状態を前方から斜めに見た場合を示し、図３は図１の状態の空調吹き出し装置を後方から斜めに見た場合を示し、図４は図２の状態の空調吹き出し装置を後方から斜めに見た場合を示す。さらに、図５は図１の空調吹き出し装置の動作状態を側面から見た状態を示し、（ａ）は図１の状態、（ｂ）は図１から図２に移る途中の状態を示し、（ｃ）は図２の状態を示す。さらに、図６は図１の空調吹き出し装置を分解した状態を示し、図７は図６の変形例を示す。
【００１４】
図１に示すように、空調吹き出し装置１０において、ベゼル２０の表面２１に開口部２２が形成され、空気吹き出し口３１が設けられたバレル３０がベゼル２０の開口部２２に第１回転軸３３（図５、図６参照）により回転可能に枢支されている。
具体的には、図６に示すように、バレル３０は、外側枠体３２および内側枠体３４を備え、内側枠体３４は外側枠体３２の内側に嵌合している。外側枠体３２には第１回転軸３３が設けられている。第１回転軸３３は第１部分３３ａおよび第２部分３３ｂからなり、第１部分３３ａは外側枠体３２の一端の外面に設けられ、第２部分３３ｂは外側枠体３２の他端の外面に設けられている。第１部分３３ａはベゼル２０の孔２３ａに回転自在に支えられ、第２部分３３ｂはベゼル２０の孔２３ｂに回転自在に支えられている。
【００１５】
バレル３０の内側に複数のフィン４０が配置されている。複数のフィン４０の各々が第１回転軸３３と直交する第２回転軸４１により回転可能に枢支され、さらに相互に連動して回転可能になるように連結部材４３により連結されている。
また、図３に示すように、内側枠体３４には取って３４ａが設けられている。取って３４ａは空調吹き出し装置１０の取ってであるとともに、連結部材４３の保護部材である。
【００１６】
図１に示すように、複数のフィン４０の１つに操作用のノブ４４が設けられ、ノブ４４により複数のフィン４０を第２回転軸４１（図６参照）の周りに回転させて、バレル３０の空気入口３７（図３参照）からバレル３０内に流入する気流が空気吹き出し口３１から吹き出る方向（矢印４６の方向）を偏向させるとともに、空気吹き出し口３１を開閉する。
【００１７】
具体的には、図６に示すように、内側枠体３４の内側に第１補助板３５および第２補助板３６が配置されている。第１補助板３５と第２補助板３６とにより複数のフィン４０の列を挟んでいる。第１補助板３５および第２補助板３６には、複数のフィン４０の回転軸となる第２回転軸４１を回転自在に支える凹部３５ａ、３６ａが形成されている。すなわち、フィン４０の第１折曲部４０ａの外面には第２回転軸４１の第１部分４１ａが立設され、フィン４０の第２折曲部４０ｂの外面には第２回転軸４１の第２部分４１ｂが立設されている。第１部分４１ａは第１補助板３５の孔３５ａで支えられ、第２部分４１ｂは第２補助板３６の孔３６ａで支えられている。
さらに、各フィン４０には突起部４２が設けられ、突起部４２の先端にピン部４２ａが設けられている。連結部材４３の各孔４３ａは各ピン部４２ａに回転自在に連結されている。
【００１８】
図３に示すように、連結部材４３に一対の摺動部４３ｂ、４３ｃが設けられ、ベゼル２０の裏側部分にガイド部２５が設けられている。図１に示すように、バレル３０の空気吹き出し口３１がベゼル２０の表面２１に対して傾斜した状態で、図２に示すように、ノブ４４により空気吹き出し口３１を閉めるように複数のフィン４０を回転させる場合に、図４に示すように、摺動部４３ｂ、４３ｃがガイド部２５の方向に移動し、ガイド部２５に沿って摺動することにより、図２に示すように、バレル３０の空気吹き出し口３１のベゼル２０の表面２１に対する傾斜がなくなるようにバレル３０を回転させる。
具体的には、図３に示すように、内側枠体３４のガイド部２５側端部に一対の補助部材４３ｄ、４３ｅが設けられ、摺動部４３ｂ、４３ｃは補助部材４３ｄ、４３ｅの間を動くように構成されている。このため、補助部材４３ｄ、４３ｅは摺動部材４３ｂ、４３ｃの強度を補強している。
【００１９】
さらに、図４に示すように、連結部材４３の摺動部４３ｂ、４３ｃの位置はバレル３０の空気吹き出し口３１が複数のフィン４０により閉じられている場合には、バレル３０の空気吹き出し口３１が複数のフィン４０により閉じられていない場合（図３参照）よりも、バレル３０の空気吹き出し口３１側に移動する。
また、図５に示すように、ガイド部２５に傾斜が設けられ、ガイド部２５の傾斜はバレル３０の回転方向に沿って形成され、かつ、ガイド部２５の中央部が窪むように形成されている。具体的には、ガイド２５は一端から順に第１部分２５ａ、第２部分２５ｂ、第３部分２５ｃを備え、第１部分２５ａは第２部分２５ｂに近づくにつれて下降する傾斜部分であり、第２部分２５ｂは底部分であり、第３部分２５ｃは第２部分２５ｂから離れるにつれて上昇する傾斜部分である。
【００２０】
以上の構成の空調吹き出し装置１０は以下の動作をする。
空調吹き出し装置１０において、バレル３０の空気吹き出し口３１がベゼル２０の表面２１に対して傾斜した状態で、ノブ４４により空気吹き出し口３１を閉める方向に複数のフィン４０を回転させる場合に、連結部材４３の摺動部４３ｂ、４３ｃがべゼル２０に設けられたガイド部２５の方向に移動し、ガイド部２５に沿って摺動することにより、バレル３０の空気吹き出し口３１のベゼル２０の表面２１に対する傾斜がなくなるようにバレル３０を回転させるので、バレル３０の空気吹き出し口３１とベゼル２０の表面２１とを面一にすることができる。
【００２１】
さらに、連結部材４３の摺動部４３ｂ、４３ｃの位置はバレル３０の空気吹き出し口３１が複数のフィン４０により閉じられている場合には、バレル３０の空気吹き出し口３１が複数のフィン４０により閉じられていない場合よりも、バレル３０の空気吹き出し口３１側に移動し、さらに、ガイド部２５に傾斜が設けられ、ガイド部２５の傾斜はバレル３０の回転方向に沿って形成され、かつ、ガイド部２５の中央部が窪むように形成されているので、連結部材４３の摺動部４３ｂ、４３ｃがガイド部２５に沿って摺動することにより、バレル３０の空気吹き出し口３１のベゼル２０の表面２１に対する傾斜がなくなるようにバレル３０を回転させることができる。
【００２２】
なお、上記実施の形態において、図１において、気流の方向（矢印４６で示す方向）が上方に傾斜して気流が吹き出すように空気吹き出し口３１がベゼル２０の表面２１に対して傾斜しているが、これに限定されず、気流の方向（矢印４６で示す方向）が下方に傾斜して気流が吹き出すように空気吹き出し口３１がベゼル２０の表面２１に対して傾斜しているようにしてもよい。
また、連結部材４３に摺動部４３ｂ、４３ｃが設けられているが、これに限定されず、例えば図７に示すように、摺動部材５０を連結部材４３とは別個に設け、摺動部材５０が複数のフィン４０のうち少なくとも２つのフィン４０を回転自在に連結するようにしてもよい。
具体的には、フィン４０に突起部４７が設けられ、突起部４７の先端部にピン部４７ａが設けられている。そして、摺動部材５０の孔５０ａが例えば各フィン４０のうち最もガイド部２５（図３参照）に近いフィン４０のピン部４７ａに回転自在に係合し、摺動部材５０の孔５０ｂが各フィン４０のうち二番目にガイド部２５に近いフィン４０のピン部４７ａに回転自在に係合している。
このようにすると、バレル３０の空気吹き出し口３１がベゼル２０の表面２１に対して傾斜した状態で、ノブ４４により空気吹き出し口３１を閉めるように複数のフィン４０を回転させる場合に、摺動部材５０がガイド部２５の方向に移動し、ガイド部２５に沿って摺動することにより、バレル３０の空気吹き出し口３１のベゼル２０の表面２１に対する傾斜がなくなるようにバレル３０を回転させることができる。
なお、図７において、突起部４２ｘおよびピン部４２ａｘはそれぞれ図６の突起部４２およびピン部４２ａに相当するものである。
【図面の簡単な説明】
【００２３】
【図１】本発明の実施の形態に係る空調吹き出し装置のフィンを開いた状態を前方から見た斜視図である。
【図２】図１の空調吹き出し装置のフィンを閉じた状態を前方から見た斜視図である。
【図３】図１の状態の空調吹き出し装置を後方から見た斜視図である。
【図４】図２の状態の空調吹き出し装置を後方から見た斜視図である。
【図５】図１の空調吹き出し装置の動作状態の側面図であり、（ａ）は図１の状態、（ｂ）は図１から図２に移る途中の状態、（ｃ）は図２の状態を示す。
【図６】図１の空調吹き出し装置を分解した斜視図である。
【図７】図６の変形例を示す部分図である。
【図８】従来例の空調吹き出し装置のフィンを開いた状態を前方から見た斜視図である。
【図９】図８の空調吹き出し装置のフィンを閉じた状態を前方から見た斜視図である。
【符号の説明】
【００２４】
１０  空調吹き出し装置
２０  ベゼル
２１  表面
２２  開口部
２５  ガイド部
３０  バレル
３１  空気吹き出し口
４０  フィン
４３  連結部材
４３ｂ、４３ｃ  摺動部
４４  ノブ
５０  摺動部材
【図１】
0004954851.tif 000002
【図２】
0004954851.tif 000003
【図３】
0004954851.tif 000004
【図４】
0004954851.tif 000005
【図５】
0004954851.tif 000006
【図６】
0004954851.tif 000007
【図７】
0004954851.tif 000008
【図８】
0004954851.tif 000009
【図９】
0004954851.tif 000010